(57)【要約】【課題】部品点数の増加を抑えつつ、放熱及び電磁ノイズ耐性に優れる電子機器を提供する。【解決手段】筐体１１を、筐体本体２８と、筐体本体２８の両側面を覆う１対の側板２９とから構成する。筐体本体２８を、前面パネル３０、背板３２、天板３３、底板３４、及びシャーシ板３５から構成する。シャーシ板３５を導電性の金属から構成する。電磁ノイズの発生源となる第１電子部材を有する第１基板４３を、シャーシ板３５と一方の側板２９との間でシャーシ板３５に取り付ける。電磁ノイズの影響を受ける第２電子部材を有する第２基板４４を、シャーシ板３５と他方の側板２９との間でシャーシ板３５に取り付ける。導電性のシャーシ板３５により、第１基板４３と第２基板４４とが分離されるため、電磁ノイズの影響を抑えることができる。【選択図】図２
2018011016.tif 000002
【特許請求の範囲】
【請求項１】
矩形状の底板と、
前記底板の１辺に接続し前記底板に直交して取り付けられる前面パネルと、
前記前面パネルに対向して前記底板の１辺に接続し前記底板に直交して取り付けられる背板と、
前記底板の対向する他の２辺にそれぞれ接続し、前記底板に直交して取り付けられる１対の側板と、
前記底板に対向して配され、前記前面パネル、前記背板及び前記側板に取り付けられる天板と、
前記底板、前記天板、前記前面パネル及び前記背板に接続し、前記側板と平行に保持され、導電性を有する金属製のシャーシ板と、
前記シャーシ板と一方の前記側板との間で前記シャーシ板に取り付けられ、電磁ノイズの発生源となる第１電子部材を有する第１基板と、
前記シャーシ板と他方の前記側板との間で前記シャーシ板に取り付けられ、電磁ノイズの影響を受ける第２電子部材を有する第２基板と
を備える電子機器。
【請求項２】
前記シャーシ板は、前記第１基板と前記第２基板とを連結する配線を通す開口を有し、前記開口は、前記第１基板に取り付けられた第１電子部材から離した位置に形成されている請求項１に記載の電子機器。
【請求項３】
前記第１電子部材は前記前面パネルに近接して配される請求項２記載の電子機器。
【請求項４】
前記側板の底板側に形成される第１通気孔と、前記天板に形成される第２通気孔とを有する請求項１から３いずれか１項記載の電子機器。
【請求項５】
前記側板は上側板部と下側板部とに分ける段差を前記底板側に有し、前記第１通気孔は前記段差と前記上側板部に跨がるエリアに形成されている請求項４記載の電子機器。
【請求項６】
前記側板は、前記底板、前記天板、前記前面パネル及び前記背板のいずれかに着脱自在に固定される請求項１から５いずれか１項記載の電子機器。
【請求項７】
前記シャーシ板は、鉄、ニッケル、又は鉄にニッケルメッキを施した金属により構成される請求項１から６いずれか１項記載の電子機器。
【請求項８】
前記前面パネルは、メモリカードが着脱自在に収納されるメモリカードリーダと、操作入力を行う操作入力部と、操作入力内容を表示する表示部とを有し、前記第１基板及び前記第２基板は前記メモリカードの情報を読み取って再生信号を出力する請求項１から７いずれか１項記載の電子機器。
【発明の詳細な説明】
【技術分野】
【０００１】
本発明は、電子機器に関するものである。
【背景技術】
【０００２】
航空機搭載用の電子機器、例えばオーディオ再生装置は、他の航空機搭載用の電子機器と同様に、ラックに収納される列線交換ユニット（ＬＲＵ：Line replaceable unit）として構成される。ＬＲＵとは、１つ以上の機能を持つ電子機器がパッケージ化されたもので、モジュラー式となっている。モジュラー式のためＬＲＵは電子機器の交換が容易になり、整備の作業員の負担を減らすことができる。
【０００３】
従来のオーディオ再生装置では、上部が開放された矩形箱型状の筐体本体に対して、天板の両側縁に対し側板を９０°折り曲げたＵ字型のカバー部材を組み付けて筐体を構成している。筐体の前面を構成する前面パネルには、各種スイッチ、表示器、及びメモリカードリーダ等が配され、筐体の背面を構成する背板にはコネクタが配されている。
【０００４】
筐体内には、前面パネルを正面とした場合に、前後方向に延びる基板が配置される。基板は複数あり、これら基板は左右方向に並べて設けられる。各基板は、底板に設けられるコネクタに差し込まれて、鉛直方向に配されている。
【０００５】
各基板は通電により発熱する。特に、オーディオ再生を行う装置では発熱が無視できないレベルであり、放熱が必要となる。しかしながら、航空機搭載用の電子機器は、格納個所によっては給排気及び内部攪拌用ファンの使用は制限される。このため、側板の下部と天板とには通気孔が形成されており、空気の対流により、外部の空気を筐体内に導入し、内部の基板を冷却している。
【０００６】
ところで、プリント基板の冷却をより一層効率良く行う方法の１つとして、航空機搭載用の電子機器ではないが、一般的な電子機器において、プリント基板上で発熱部品と非発熱部品とが実装される領域を分離し、且つその領域の境界部に放熱フィンを立設して発熱部品と非発熱部品を隔離することが提案されている（例えば、特許文献１参照）。
【先行技術文献】
【特許文献】
【０００７】
【特許文献１】実公平０３−０４６５５６号公報
【発明の概要】
【発明が解決しようとする課題】
【０００８】
特許文献１では、発熱を効果的に抑えることができるものの、放熱フィンは表面積を増加して放熱効率を上げるため、体積が増加し重量が増加するという問題がある。
【０００９】
また、電子機器では、放熱に加えて、電磁ノイズの対策も求められる。従来の航空機搭載用のオーディオ再生装置では、複数の基板を側板に平行に並べ、底板に配されるコネクタに基板の接合部を嵌合して取り付けている。ＬＲＵとしてのオーディオ再生装置１０は規格により外形及び寸法が決められており、規格範囲内で筐体を構成する必要がある。従って、限られた筐体空間内に各種基板が高密度で実装されることになる。このため、隣接する基板の電子部品等が接近し、隣接する基板同士で電磁ノイズによる干渉が発生する。例えばオーディオ再生装置では、電磁ノイズの影響によって再生信号の特性が変わり音質が低下したり、再生信号に雑音が混じったりする問題がある。
【００１０】
このような電磁ノイズの干渉を防止するためには、シールド部材を基板の間に設けることが考えられる。しかしながら、こうした対策は部品点数が増加してコストや重量が増加するという問題が生じる。特に、航空機搭載用の電子機器では重量の増加は避けたいという要請がある。
【００１１】
本発明は、部品点数の増加を抑えつつ、放熱及び電磁ノイズ耐性に優れる電子機器を提供することを目的とする。
【課題を解決するための手段】
【００１２】
上記目的を達成するために、本発明の電子機器は、矩形状の底板と、前面パネルと、背板と、１対の側板と、天板と、シャーシ板と、第１基板と、第２基板とを備える。前面パネルは、底板の１辺に接続し底板に直交して取り付けられる。背板は、前面パネルに対向して底板の１辺に接続し底板に直交して取り付けられる。１対の側板は、底板の対向する他の２辺にそれぞれ接続し、底板に直交して取り付けられる。天板は、底板に対向して配され、前面パネル、背板及び側板に取り付けられる。シャーシ板は、底板、天板、前面パネル及び背板に接続し、側板と平行に保持される。シャーシ板は導電性を有する金属製である。第１基板は、シャーシ板と一方の側板との間でシャーシ板に取り付けられ、電磁ノイズの発生源となる第１電子部材を有する。第２基板は、シャーシ板と他方の側板との間でシャーシ板に取り付けられ、電磁ノイズの影響を受ける第２電子部材を有する。
【００１３】
なお、シャーシ板は、第１基板と第２基板とを連結する配線を通す開口を有し、開口は、第１基板に取り付けられた第１電子部材から離した位置に形成されることが好ましい。また、第１電子部材は前面パネルに近接して配されることが好ましい。
【００１４】
側板の底板側に形成される第１通気孔と、天板に形成される第２通気孔とを有することが好ましい。また、側板は上側板部と下側板部とに分ける段差を底板側に有し、第１通気孔は段差と上側板部に跨がるエリアに形成されていることが好ましい。側板は、底板、天板、前面パネル及び背板のいずれかに着脱自在に固定されることが好ましい。
【００１５】
前面パネルは、メモリカードが着脱自在に収納されるメモリカードリーダと、操作入力を行う操作入力部と、操作入力内容を表示する表示部とを有し、第１基板及び第２基板はメモリカードの情報を読み取って再生信号を出力することが好ましい。
【発明の効果】
【００１６】
本発明によれば、部品点数の増加を抑えつつ、放熱及び電磁ノイズ耐性に優れる電子機器を提供することができる。
【図面の簡単な説明】
【００１７】
【図１】本発明の電子機器であるオーディオ再生装置の外観を示す斜視図である。
【図２】オーディオ再生装置を分解して示す斜視図である。
【図３】オーディオ再生装置を搭載した航空機のオーディオ再生システムを示すブロック図である。
【図４】オーディオ再生装置を背面の下側から見た斜視図である。
【図５】筐体本体を分解して示す斜視図である。
【図６】図１のVIで示す鉛直面における正面側から背面側を見たときの断面図である。
【図７】前面パネルを示す正面図である。
【図８】メモリカードリーダの蓋が開いた状態のロックつまみを示す斜視図である。
【図９】メモリカードリーダの蓋が閉じた状態のロックつまみを示す斜視図である。
【図１０】オーディオ再生装置の機能ブロック図である。
【発明を実施するための形態】
【００１８】
図１及び図２において、電子機器であるオーディオ再生装置１０は、筐体１１と、筐体１１内に配される複数の基板１２Ａ，１２Ｂ，・・・１２Ｆとを備える。図３に示すように、オーディオ再生装置１０は、例えば、航空機１５に搭載され、乗客に対して例えば１６チャンネル分の音楽放送を提供する。
【００１９】
ＬＲＵとしてのオーディオ再生装置１０は、例えば航空機１５の床下の電子機器格納室１６に格納される。通常の運航時には、電子機器格納室１６に客室乗務員等のオペレータが入ることは制限される。このため、電源スイッチや再生スイッチ、停止スイッチ等は前面パネル３０から省略され、例えば記録メディアであるメモリカード１７が挿入された状態で電源が供給されると再生を開始する。また、パイロットや客室乗務員等によるポーズ信号又はポーズ解除信号の入力操作によって、再生信号の送出や停止が制御される。
【００２０】
オーディオ再生装置１０は、例えばＳＤカード等のメモリカード１７に記録された情報を読み取って、１６チャンネル分の再生信号を外部装置、例えばマルチプレクサ２１に出力する。
【００２１】
マルチプレクサ２１は、オーディオ再生装置１０からの音楽放送による再生信号と、例えば客室乗務員やパイロットによる案内放送による再生信号とを切り替え、この切り替えた再生信号をモジュレーションユニット２２に出力する。通常は、オーディオ再生装置１０からの再生信号がモジュレーションユニット２２に送られる。案内放送が行われる際には、オーディオ再生装置１０の再生信号から案内放送の再生信号に切り替えられる。
【００２２】
モジュレーションユニット２２は再生信号に対し、例えば周波数変調や振幅変調し、デストリビューションユニット２３に送る。デストリビューションユニット２３は、客室２４内の椅子２５の個数に応じて、複数設けられており、客室２４内の音声出力部２６に再生信号を送る。音声出力部２６は各椅子２５の肘掛け部等に設けられる。デストリビューションユニット２３は、例えば、９席分の椅子２５の音声出力部２６に対して１つが割り当てられる。音声出力部２６は、イヤホンジャックに接続されたイヤホン（共に図示省略）を介して、乗客に１６チャンネル分の音楽放送を選択的に出力する。
【００２３】
システムコントローラユニット２７は各種電子機器の制御を行う。システムコントローラユニット２７は、オーディオ再生装置１０に対しては、パイロット等の操作によりポーズ信号又はポーズ解除信号を送る。オーディオ再生装置１０では、ポーズ信号を受け取ると、再生信号の出力を停止する。また、ポーズ解除信号を受け取ると再生信号の出力を再開する。
【００２４】
ＬＲＵとしてのオーディオ再生装置１０は規格により外形及び寸法が決められており、規格範囲内で筐体１１を構成する必要がある。このため、筐体１１は、所定の寸法にて略直方体状に形成されており、他の電子機器と同様にラックに収納可能になっている。
【００２５】
図１及び図４に示すように、筐体１１は、前面パネル３０が配される面を正面とした場合に、正面、背面、上面、下面、両側面を有する矩形箱型形状である。前面パネル３０は筐体１１の正面を構成するものであり、化粧パネル３０Ａと前板３１とを重ねて構成されている。
【００２６】
図２に示すように、筐体１１は、筐体本体２８と、筐体本体２８の両側面を覆う１対の側板２９とで構成される。図５に示すように、筐体本体２８は、前板３１を背面に有し正面を構成する前面パネル３０と、背面を構成する背板３２と、上面を構成する天板３３と、下面を構成する底板３４と、前板３１、背板３２、天板３３、及び底板３４に接続するシャーシ板３５とを有する。
【００２７】
前面パネル３０を構成する前板３１は、矩形状の底板３４の１辺に接続し、底板３４に直交して取り付けられる。背板３２は、前面パネル３０に対向して底板３４の１辺に接続し、底板３４に直交して取り付けられる。１対の側板２９は、底板３４の他方の対向する２辺にそれぞれ接続し、底板３４に直交して取り付けられる。天板３３は、底板３４に対向して配され、前板３１、背板３２及び１対の側板２９に取り付けられる。
【００２８】
シャーシ板３５は、前板３１及び背板３２と天板３３及び底板３４とを左右に分ける中央位置で、これら各板３１〜３４に接続し、側板２９に平行に保持される。これら前板３１及び背板３２と天板３３及び底板３４とに対するシャーシ板３５の接続は取付ネジ３６により行われる。このため、天板３３、底板３４及びシャーシ板３５の周縁の一部は折り曲げられて、取付片３７が形成されている。取付片３７は取付孔３７Ａを有する。取付ネジ３６はナットやタッピングによって取付孔３７Ａに締結され、前板３１、背板３２、天板３３、底板３４及びシャーシ板３５を一体的に結合する。なお、取付ネジ３６に代えて、又は加えて他のスポット溶接や嵌着等の他の固着手段で各板３１〜３５同士を固着してもよい。
【００２９】
図１に示すように、側板２９は、取付ネジ３６により天板３３及び底板３４の取付片３７に、着脱自在に取り付けられる。なお、天板３３及び底板３４に代えて又は加えて、前板３１及び背板３２の取付片３７に着脱自在に取り付けてもよい。
【００３０】
図６に示すように、側板２９は、下部に傾斜面２９Ａを有し、傾斜面２９Ａによって外側に拡がる段差が形成されている。段差の傾斜面２９Ａによって、側板２９は、上側板部２９Ｂと下側板部２９Ｃとに分けられる。図２に示すように、上側板部２９Ｂの下部と傾斜面２９Ａとにかけて、多数の第１通気孔４１が形成されている。第１通気孔４１は、前板３１側及び背板３２側を除く側板２９の矩形エリアに配されている。第１通気孔４１は、例えばマトリックス状に、又はマトリックスの隣接する行を列方向に各第１通気孔の半ピッチ分だけずらした形態の略マトリックス状に配されている。
【００３１】
天板３３であって、シャーシ板３５の取付片３７が取り付けられる部分を除く矩形エリアには、多数の第２通気孔４２が形成されている。第２通気孔４２は、側板２９とシャーシ板３５との間で天板３３の矩形エリアに、マトリックス状又は略マトリックス状に配されている。
【００３２】
図６に示すように、シャーシ板３５には、円柱状のステー４５、Ｕ字型の取付ブラケット４６、図示省略の取付ネジ等を介し、各種の基板１２Ａ〜１２Ｆが取り付けられる。シャーシ板３５は、シールド効果を得ることができる材質（例えば、導電性を有する金属）で形成される。シールド効果の高い導電性を有する金属としては、例えば鉄やニッケル等が挙げられる。航空機搭載規格では、鉄にニッケルメッキを施した金属が定義されている。このシャーシ板３５により筐体１１内が２区画に区分される。ステー４５及び取付ブラケット４６は、熱伝動性の高い材料、例えばアルミ製や鉄製から構成されている。また、金属製のステー４５や取付ブラケット４６の他に合成樹脂製の熱伝導シートやステー等を用いてもよい。
【００３３】
図２に示すように、シャーシ板３５で仕切られる一方の区画には、電磁ノイズの発生源となる第１基板４３が配される。第１基板４３は、シャーシ板３５と一方の側板２９との間でシャーシ板３５に取り付けられる。第１基板４３は電磁ノイズの発生源となる第１電子部材を有し、ＡＣ／ＤＣ（Alternating Current／Direct Curret）変換基板１２Ａ、ＤＣ／ＤＣ（Direct Curret／Direct Curret）変換基板１２Ｂ、及びコントロール基板１２Ｃが属する。特に、電磁ノイズ発生の影響が大きいＤＣ／ＤＣ変換基板１２Ｂが、前面パネル３０に近接させて配置される。第１電子部材は、例えばスイッチングトランジスタ等が挙げられる。
【００３４】
他方の区画には、電磁ノイズの影響を受ける第２基板４４が配される。第２基板４４は、シャーシ板３５と他方の側板２９との間でシャーシ板３５に取り付けられる。第２基板４４は電磁ノイズを受ける第２電子部材を有し、デコーダ基板１２Ｄ、オーディオ基板１２Ｅが属する。第２電子部材は、例えばオペアンプやアナログ回路パターン自身等が挙げられる。
【００３５】
ＡＣ／ＤＣ変換基板１２Ａは交流を直流に変換する。ＤＣ／ＤＣ変換基板１２Ｂは、ＡＣ／ＤＣで変換した直流を他の電圧の直流に変換する。コントロール基板１２Ｃは、前面パネル３０の操作入力部として操作入力を行う各種スイッチ５２やつまみ５３，５４の操作に応じて、表示部としての表示器５５に操作入力内容を表示しつつ、各部を制御する。
【００３６】
デコーダ基板１２Ｄは、メモリカード１７に記録されたデジタル情報に基づきアナログ信号を出力するもので、例えば１６チャンネル分の処理能力を有する。オーディオ基板１２Ｅは、デコーダ基板１２Ｄからのアナログ信号を増幅し、再生信号を出力する。
【００３７】
背板３２には、コネクタ４８を有するコネクタ基板１２Ｆが取り付けられている。コネクタ４８には、外部ケーブルが接続される。外部ケーブルは、電源線や信号線からなる。なお、各種基板１２Ａ〜１２Ｆは一例であり、必要に応じて他の基板を追加したり、各基板を統合したりしてもよい。
【００３８】
図５に示すように、シャーシ板３５には第１開口３５Ａ、第２開口３５Ｂ、及び第３開口３５Ｃが形成されている。これら開口３５Ａ〜３５Ｃは、第１基板４３と第２基板４４とを連結する配線（図示省略）を通すためのものである。第１開口３５Ａは、シャーシ板３５の背板３２側で下側に矩形状に形成されている。この第１開口３５Ａには、コネクタ基板１２Ｆ及び配線が配される。第２開口３５Ｂは、背板３２側で上側に形成されている。第３開口３５Ｃは、前板３１側で取付ブラケット４６の近くに形成されている。これら第２開口３５Ｂ及び第３開口３５Ｃは、オーディオ基板１２Ｅ及びデコーダ基板１２Ｄが、ＡＣ／ＤＣ変換基板１２Ａ及びＤＣ／ＤＣ変換基板１２Ｂから電磁ノイズを受けない位置で且つ極力、開口面積を小さくして形成されている。
【００３９】
図５及び図７に示すように、前面パネル３０は、化粧パネル３０Ａ、前板３１、前板３１に取り付けられるメモリカードリーダ５１、各種スイッチ５２、つまみ５３，５４、表示部としての表示器５５、及びイヤホンジャック５６を有する。化粧パネル３０Ａは、メモリカードリーダ５１やスイッチ５２、つまみ５３，５４、表示器５５及びイヤホンジャック５６を露呈する孔及び開口と、各スイッチ５２や表示器５５の名称等を印刷した印刷部５７とを有する。
【００４０】
表示器５５は、例えば発光ダイオードからなるウェイトランプ５５Ａ、カードインランプ５５Ｂ、及びポーズランプ５５Ｃと、例えば７セグメント表示器からなるプログラム表示器５５Ｄとを有する。ウェイトランプ５５Ａはシステムがビジー状態の時に点灯される。カードインランプ５５Ｂはメモリカードリーダ５１内にメモリカード１７が装填されている時に点灯される。ポーズランプ５５Ｃは、パイロット等によりポーズ信号が出されて、システムが再生信号の出力を停止している時に点灯される。プログラム表示器５５Ｄは、４桁の７セグメント表示器であり、１〜１６のチャンネル番号及び音量を２桁の数字でそれぞれ表示する。
【００４１】
スイッチ５２は、チャンネル選択に用いられる昇順スイッチ５２Ａ及び降順スイッチ５２Ｂと、音量調節に用いられる昇順スイッチ５２Ｃ及び降順スイッチ５２Ｄと、降順早送りスイッチ５２Ｅ及び昇順早送りスイッチ５２Ｆとを有する。これらスイッチ５２及びプログラム表示器５５Ｄを用いて、プログラムとしての曲目の確認や音量の調節が可能になる。イヤホンジャック５６にはイヤホンプラグが挿入される。イヤホンジャック５６を介してイヤホンにより電子機器格納室１６内でプログラムを試聴することができる。音量調節つまみ５４は試聴の際の音量を調節する。
【００４２】
図５に示すように、メモリカードリーダ５１は、リーダ本体６０と蓋６１とロックつまみ５３とを有する。リーダ本体６０は前板３１に取り付けられている。リーダ本体６０は装填口５９を有する。図８に示すように、装填口５９には、メモリカード１７が装填される。リーダ本体６０は、図示省略のコネクタを備えている。このコネクタを介して内部のメモリにアクセス可能であり、メモリカード１７に記録されている情報を読み出す。
【００４３】
図１に示すように、蓋６１は、化粧パネル３０Ａに水平方向の回動軸６５を介して取り付けられている。蓋６１は、図８に示すように装填口５９を開放する開位置と、図９に示すように装填口５９を覆う閉じ位置との間で変位する。蓋６１の上辺部はＵ字形に折り曲げられており、指掛け部６１Ａとなっている。指掛け部６１Ａの上部中央には、係止孔６６が形成されている。
【００４４】
ロックつまみ５３は、つまみ部５３Ａと軸本体５３Ｂとから構成されている。軸本体５３Ｂは、例えば９０°回転可能にリーダ本体６０（図５参照）に取り付けられており、ロック位置とロック解除位置との間で変位する。ロックつまみ５３は、軸本体５３Ｂから直径方向に突出した係止突起５３Ｃを有する。ロックつまみ５３は、ロック位置では、閉じ位置の蓋６１の係止孔６６に係止突起５３Ｃが係止し、蓋６１の開放を規制する。ロック解除位置では、係止孔６６から係止突起５３Ｃが抜け出て、蓋６１を開放可能にする。ロックつまみ５３は、図示省略の切替バネを有し、この切替バネによって、ロック位置とロック解除位置に付勢されている。
【００４５】
前板３１の背面には、蓋閉じセンサ（図１０参照）７１が設けられている。蓋閉じセンサ７１は、蓋６１が閉じられた時に例えばアクチュエータが押されてＯＮになる。また、化粧パネル３０Ａの背面には、ロックセンサ７０が設けられている。ロックセンサ７０は、ロックつまみ５３がロック位置にある時にＯＮになり、ロック解除位置でＯＦＦになる。
【００４６】
図１０は、オーディオ再生装置１０の回路ブロックを示している。ロックセンサ７０と蓋閉じセンサ７１とは直列に接続されて、その出力がアンド回路７３の一方に送られる。アンド回路７３の他方には、メモリカードＩ／Ｆ（interface）７４の出力が送られる。メモリカードＩ／Ｆ７４は、メモリカードリーダ５１にメモリカード１７が装填され、メモリカード１７にアクセスが可能になる時にＯＮ信号をアンド回路７３に出力する。
【００４７】
アンド回路７３は、ロックセンサ７０と蓋閉じセンサ７１との出力がＯＮであり、メモリカード１７がメモリカードリーダ５１に装填されてアクセスが可能でＯＮの時に、メモリカード１７が収納されて蓋６１がロックされていることを示すＯＮ信号をマイクロコンピュータ７５に出力する。このＯＮ信号が出力されると、マイクロコンピュータ７５は、分配回路７６、バッファ７７、デコーダ７８、アンプ７９を制御して、メモリカード１７の情報に基づき例えば１６チャンネル分の再生信号をコネクタ基板１２Ｆ及びコネクタ４８を介して、外部機器に出力する。分配回路７６はメモリカード１７の情報を１６チャンネルの音楽放送に分配する。デコーダ７８及びアンプ７９は、１６チャンネル用にそれぞれ設けられている。デコーダ７８は、各チャンネルの情報をアナログ信号に変換する。アンプ７９は各チャンネルのアナログ信号を増幅する。
【００４８】
次に、本発明のオーディオ再生装置１０の作用について説明する。オーディオ再生装置１０にコネクタ４８を介して電力が供給されると、メモリカードリーダ５１のメモリアクセス完了信号に基づきメモリカード１７の装填完了が検出される。また、蓋閉じセンサ７１に基づき蓋６１が閉じられていることが検出される。更に、ロックセンサ７０に基づき蓋６１が閉じ位置でロックされていることが検出される。
【００４９】
これら３つの条件が揃っており、ＯＮ信号がアンド回路７３に入力されると、オーディオ再生装置１０は、メモリカード１７に記録されている情報に基づき例えば１６チャンネル分の音声データをマルチプレクサ２１に送る。マルチプレクサ２１では、機内放送などの音声信号が入力されない場合には、オーディオ再生装置１０の再生信号をモジュレーションユニット２２、デストリビューションユニット２３を介して客室２４内の音声出力部２６に送る。乗客は、手元のチャンネル切り替えスイッチで各チャンネルの切り替えを行う。また、手元の音量調節つまみ５４により音量の調節を行う。これにより、イヤホン等で１６チャンネルの音楽放送を聞くことができる。
【００５０】
メンテナンスや音楽放送のコンテンツ変更等に伴い、曲目等を入れ換える場合には、新たな曲目を入れたメモリカード１７をメモリカードリーダ５１の装填口５９にセットする。このとき、ロックつまみ５３を解除位置にすることにより、蓋６１のロックが解除され、蓋６１が開く。蓋６１の開放により、露呈した装填口５９からメモリカード１７を抜き取り、新たなメモリカード１７を装填する。装填後に、蓋６１を閉じ、ロックつまみ５３をロック位置にすると、カードアクセス完了信号、蓋閉じ信号、蓋ロック信号がＯＮになり、メモリカード１７に記録された各種楽曲が１６チャンネル分としてコネクタ４８から出力される。
【００５１】
新たなメモリカード１７の装填の際には、前面パネル３０のスイッチ５２を操作して、チャンネル毎に音量を調節することができる。また、イヤホンジャック５６にイヤホンのプラグを差し込むことで、床下の電子機器格納室１６において、音声を確認することができる。
【００５２】
オーディオ再生装置１０の可動中は、例えばＡＣ／ＤＣ変換基板１２Ａ、ＤＣ／ＤＣ変換基板１２Ｂ、コントロール基板１２Ｃの各第１電子部品から電磁ノイズが発生する。これら電磁ノイズが発生する基板１２Ａ〜１２Ｃは、導電性のあるシャーシ板３５を介して分けられる一方の区画に配される。また、電磁ノイズを受けると誤動作したり特性が悪化したりして音質が低下し易いオーディオ基板１２Ｅ及びデコーダ基板１２Ｄは他方の区画に配される。従って、電磁ノイズの発生源である第１基板４３から、電磁ノイズの影響を受ける第２基板４４を区画することができ、電磁ノイズの影響を無くして、音質低下が抑えられる。
【００５３】
シャーシ板３５は、第１基板４３と第２基板４４とを連結する配線を通す開口３５Ａ〜３５Ｃを有し、これら開口３５Ａ〜３５Ｃは、第１基板４３の電磁ノイズ発生源となる第１電子部材から離した位置に形成されることにより、電磁ノイズの影響を無くすことができる。
【００５４】
筐体１１の一方の端部に前面パネル３０を配し、他方の端部にコネクタ４８を有する背板３２を配し、且つ電磁ノイズの発生源となる第１電子部材は前面パネル３０に近接して配することにより、第１電子部材からコネクタ４８を遠ざけることができ、その分だけコネクタ４８及びコネクタ４８により連結される配線に対する電磁ノイズの影響を抑えることができる。
【００５５】
シャーシ板３５に各基板１２Ａ〜１２Ｅが、ステー４５及び取付ブラケット４６により固定され、且つシャーシ板３５が前板３１、背板３２、天板３３、及び底板３４に結合して一体化されることにより、各基板１２〜１２Ｅで発生した熱がステー４５、取付ブラケット４６及びシャーシ板３５を介して、前板３１、背板３２、天板３３、及び底板３４に伝えられ、外部へ放熱が行われる。これにより、筐体１１内の温度上昇が抑えられる。
【００５６】
筐体１１は第１通気孔４１と第２通気孔４２とを有することにより、側板２９の第１通気孔４１から空気が筐体１１内に流入し、筐体１１内で各基板１２Ａ〜１２Ｆを冷却して温度が上昇した空気は天板３３の第２通気孔４２から筐体１１外に排出される。このように、冷却ファン等を用いることなく、第１通気孔４１及び第２通気孔４２からの筐体１１内への空気の出入りによる対流によって、筐体１１内の温度上昇を抑えることができる。特に、側板２９の底板３４寄りに第１通気孔４１を形成し、天板３３のシャーシ板３５の取付部を除く部分に第２通気孔４２を形成することにより、空気の対流を促進させ、効率の良い冷却が可能になる。
【００５７】
また、側板２９の傾斜面２９Ａによる段差によって、オーディオ再生装置１０が電子機器格納室１６のラックに格納される際に、他の電子部品との側板との間に隙間を確保することができる。この隙間によって、空気の流れを阻害することがなくなり、効率良く基板１２Ａ〜１２Ｅを冷却することができる。
【００５８】
側板２９は、天板３３、底板３４、前面パネル３０、背板３２のいずれかに着脱自在に固定され、シャーシ板３５は側板２９に平行に設けられることにより、側板２９を取り外すと各基板１２Ａ〜１２Ｆが露呈するため、基板１２Ａ〜１２Ｆの交換やメンテナンスが容易になる。また、各基板１２Ａ〜１２Ｅはシャーシ板３５に平行にステー４５及び取付ブラケット４６を介して取り付けられるため、側板２９を筐体本体２８から取り外すだけで、各基板１２Ａ〜１２Ｅに容易にアクセスすることができ、メンテナンスを効率良く行うことができる。
【００５９】
また、シャーシ板３５を両側板２９間の中間に設け、シャーシ板３５を、前板３１、背板３２、天板３３、及び底板３４と接続することにより、筐体１１のシャーシ構造がＨ型構造となるため、筐体１１の剛性強化を図ることができる。
【００６０】
上記実施形態では、シャーシ板３５を、両側板２９間の中間に設けているが、第１基板４３と第２基板４４との数量の違いに応じて、中間からずらした位置に設けてもよい。シャーシ板３５は、前板３１、背板３２、天板３３、及び底板３４に結合して一体化したが、天板３３及び底板３４にのみ結合して一体化してもよい。
【００６１】
本発明は、上記実施形態に限定されず、本発明の趣旨を逸脱しない範囲で適宜変更が可能である。また、オーディオ再生装置１０として本発明を実施しているが、複数の基板を有し、一方が他方の基板に対して電磁ノイズの影響を受ける電子機器であれば、本発明を適用することができる。また、航空機搭載用のオーディオ再生装置として説明したが、航空機に限らず、他の各種機器に搭載することができる。
【符号の説明】
【００６２】
１０    オーディオ再生装置
１１    筐体
１２    基板
１２Ａ  ＡＣ／ＤＣ変換基板
１２Ｂ  ＤＣ／ＤＣ変換基板
１２Ｃ  コントロール基板
１２Ｄ  デコーダ基板
１２Ｅ  オーディオ基板
１２Ｆ  コネクタ基板
１７    メモリカード
２８    筐体本体
２９    側板
２９Ａ  傾斜面
２９Ｂ  上側板部
２９Ｃ  下側板部
３０    前面パネル
３０Ａ  化粧パネル
３１    前板
３２    背板
３３    天板
３４    底板
３５    シャーシ板
３５Ａ  第１開口
３５Ｂ  第２開口
３５Ｃ  第３開口
３６    取付ネジ
３７    取付片
３７Ａ  取付孔
４１    第１通気孔
４２    第２通気孔
４３    第１基板
４４    第２基板
４５    ステー
４６    取付ブラケット
４８    コネクタ
５１    メモリカードリーダ
５２    スイッチ
５３    ロックつまみ
５４    音量調節つまみ
５５    表示器
５６    イヤホンジャック
５９    装填口
６０    リーダ本体
６１    蓋
【図１】
2018011016.tif 000003
【図２】
2018011016.tif 000004
【図３】
2018011016.tif 000005
【図４】
2018011016.tif 000006
【図５】
2018011016.tif 000007
【図６】
2018011016.tif 000008
【図７】
2018011016.tif 000009
【図８】
2018011016.tif 000010
【図９】
2018011016.tif 000011
【図１０】
2018011016.tif 000012